(57)【要約】【課題】組み立てた場合に、保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供する。【解決手段】所定長さを有する複数の樹脂製パイプ状縦部材３と、これらパイプ状縦部材３と共に三次元構造体を組み立てる横部材２と、パイプ状縦部材３に横部材２を接続するための接続治具１とを有し、これらパイプ状縦部材３と横部材２とを、接続治具１を介して三次元構造体に組み立てることにより、内部に空間を形成可能にする雨水貯留構造用部材。【選択図】図４
2006104739.tif 000002
【特許請求の範囲】
【請求項１】
所定長さを有する複数の樹脂製パイプ状縦部材と、これらパイプ状縦部材と共に三次元構造体を組み立てる横部材と、前記パイプ状縦部材に前記横部材を接続するための接続治具とを有し、これらパイプ状縦部材と横部材とを、前記接続治具を介して三次元構造体に組み立てることにより、内部に空間を形成可能にする雨水貯留構造用部材。
【請求項２】
前記接続治具は、前記パイプ状縦部材に嵌合して装着されると共に、前記横部材とは係止して連結される請求項１に記載の雨水貯留構造用部材。
【請求項３】
前記三次元構造体は、少なくとも１０８ｋＮ／ｍ2以上の圧縮強度を有する請求項１又は２に記載の雨水貯留構造用部材。
【請求項４】
地面凹部に敷設された遮水材と、この遮水材の上面側に配置された請求項１〜３のいずれか１項に記載の雨水貯留構造用部材から組み立てられた三次元構造体と、この三次元構造体の上面側に配置された被覆層を有する雨水貯留構造物。
【発明の詳細な説明】
【技術分野】
【０００１】
本発明は雨水貯留構造用部材とこれを用いた雨水貯留構造物に関し、詳しくは、所定長さを有する複数の樹脂製パイプ状縦部材と、これらパイプ状縦部材を連結可能にする接続部材とを有する雨水貯留構造用部材とこれを用いた雨水貯留構造物に関する。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、雨水貯留構造物あるいは雨水貯留用充填材などの開発が進んでいる。
【０００３】
このような雨水貯留構造物として、例えば、地面にピットを堀り、その外表面に遮水シートを敷設して、その上面に複数の容器状部材を縦横および上下に積み上げ、更に最上部に覆土などを施して被覆し、雨水を貯留する構造物の発明がなされている（特許文献１）。
【０００４】
あるいは、中空体である複数の着脱自在支柱を、連結部材によって垂直に固定してなる雨水貯留用充填材であって、連結部材が着脱自在の連結桟および縁枠により一体的に連結する等して、運搬中における隅部での支柱の脱落を防止できるようにした発明がなされている（特許文献２）。
【特許文献１】特開昭６３−２６８８２３号公報
【特許文献２】特開２００４−１９２０５号公報
【発明の開示】
【発明が解決しようとする課題】
【０００５】
しかしながら、上記実施形態の雨水貯留構造物あるいは雨水貯留用充填材は、容器状部材や着脱自在支柱と連結部材とからなる雨水貯留用充填材を使用しており、点検用の十分な広さの開口部が形成されていないため、保守点検は実質上できず、永年の使用により土砂が蓄積して所定の機能を発揮し得なくなった場合にも、清掃作業は容易でなく、機能を復帰させることはできない。
【０００６】
のみならず、上記従来技術の容器状部材や充填材を運搬する場合は、これらが雨水を貯留するための大きな空間を内蔵して嵩張るため、搬送量の割に輸送コストが高くかかるという問題がある。しかも、これらの容器状部材や充填材は形状が固定されているため、雨水貯留浸透槽の形状に対して柔軟に対応できないという問題もある。
【０００７】
そこで、本発明の目的は、上記従来技術の有する問題点に鑑みて、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供することにある。
【課題を解決するための手段】
【０００８】
上記課題は、請求項記載の発明により達成される。すなわち、本発明に係る雨水貯留構造用部材の特徴構成は、所定長さを有する複数の樹脂製パイプ状縦部材と、これらパイプ状縦部材と共に三次元構造体を組み立てる横部材と、前記パイプ状縦部材に前記横部材を接続するための接続治具とを有し、これらパイプ状縦部材と横部材とを、前記接続治具を介して三次元構造体に組み立てることにより、内部に空間を形成可能にすることにある。
【０００９】
この構成によれば、樹脂製パイプ状縦部材と横部材と接続治具との組み合わせで構成されているため、パイプ状縦部材と横部材の長さを選択するだけで、保守点検可能な所定広さの開口部を容易に形成することができ、しかも、施工現場に輸送する際には、樹脂製パイプ状縦部材と横部材と接続治具とを、組み立てた状態にすることなく、夫々の部材として輸送することになるので、従来技術のように、少なくない空間を有する容器状部材や充填材として輸送するものではないため、輸送時の嵩が小さくて済み、効率の良い輸送ができることになり、輸送コストを大幅に低減できる。のみならず、樹脂製パイプ状縦部材および横部材の長さ、径など形状を変更することにより、雨水貯留浸透槽の形状に応じて柔軟に対応でき、従来技術に比べて設計の自由度が格段に向上する。
【００１０】
その結果、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材を提供することができた。
【００１１】
前記接続治具は、前記パイプ状縦部材に嵌合して装着されると共に、前記横部材とは係止して連結されることが好ましい。
【００１２】
この構成によれば、接続治具を介してパイプ状縦部材と横部材とを接続するので、別にボルトとナットのような固着具を用意して締め付ける必要がなく、接続作業が容易であり、現地での三次元構造体への組立作業を一層効率良く行うことができる。
【００１３】
前記三次元構造体は、少なくとも１０８ｋＮ／ｍ2以上の圧縮強度を有することが好ましい。
【００１４】
この構成によれば、最上部に覆土２ｍ程度を施工したとしても、土圧の３倍以上となる十分な強度を有する。
【００１５】
また、本発明に係る雨水貯留構造物の特徴構成は、地面凹部に敷設された遮水材と、この遮水材の上面側に配置された請求項１〜３のいずれか１項に記載の雨水貯留構造用部材から組み立てられた三次元構造体と、この三次元構造体の上面側に配置された被覆層を有することにある。
【００１６】
この構成によれば、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材を用いた雨水貯留構造物を提供することができる。
【発明を実施するための最良の形態】
【００１７】
本発明の実施形態を、図面を参照して詳細に説明する。図１〜３は、本実施形態に係る雨水貯留構造用組立部材として使用する接続治具１と横部材２とパイプ状縦部材３とを示す。すなわち、図１（イ）は、接続治具１の平面構造を示し、（ロ）は、Ｉ−Ｉ断面構造を示す。図２（イ）は横部材２の左側面構造、（ロ）は底面構造、（ハ）はＩＩ−ＩＩ断面構造を示す。図３（イ）は、パイプ状縦部材３の正面構造を示し、（ロ）は、ＩＩＩ−ＩＩＩ横断面構造を示す。図４，５は、図１〜３に示す接続治具１と横部材２とパイプ状縦部材３とを組み合わせて、三次元構造体であるジャングルジム状の雨水貯留構造用組立物Ａを組み立てる手順を示し、図４はその部分正面構造、図５は部分平面構造を示す。
【００１８】
接続治具１は樹脂製であり、図１に示すように、縦部材３に外嵌可能な筒状部１ａと、外周面の４箇所から突出して横部材２の端部と係合して両者を接続する突出部１ｂを有していて、突出部１ｂには、後述する横部材２の端部突起２ａを受け入れて係合する貫通孔１ｃが４箇形成されている。更に、筒状部１ａ内部にも、やや小径の貫通孔１ｄが形成されて重量軽減が図られていると共に、雨水を下方に移動させて貯留させるようになっている。
【００１９】
横部材２は樹脂製であり、図２に示すように、接続治具１の貫通孔１ｃに挿入されて係合する端部突起２ａを両端部に下向きに形成していると共に、長手方向の途中２箇所に所定間隔を空けて補強用のリブ２ｂが設けられている。もっとも、補強用のリブ２ｂの数、位置、形状などは種々に変更可能である。
【００２０】
パイプ状縦部材３は樹脂製からなり、図３（イ）、（ロ）に示すように、所定長さを有する円筒形をしており、接続治具１の筒状部１ａに内嵌可能になっている。
【００２１】
そして、立設された各パイプ状縦部材３の上端に接続治具１を嵌合して装着しておき、２本のパイプ状縦部材３に装着された各接続治具１どうしの内、互いに隣接する２個の接続治具１の貫通孔１ｃの夫々に、横部材２の端部突起２ａを挿入させて係合することにより、パイプ状縦部材３と横部材２とを接続し、これを繰り返えして、図４，５にその一部を示すように、ジャングルジム状に三次元構造体を構成する雨水貯留構造用組立物Ａを形成する。
【００２２】
つぎに、本実施形態に係る雨水貯留構造用組立部材を組み立てた雨水貯留構造用組立物Ａを、雨水貯留構造物に用いる施工例について説明する。
【００２３】
図６に示すように、地面に１〜５ｍ程度の凹部（ピット）を掘削・形成すると共に、ピット周囲に側溝７を形成し、ピットの底面に砕石、砂などを敷設・施工し平準化して基礎Ｂを形成する。その表面に遮水材である遮水シート４を敷設した後、樹脂製の各パイプ状縦部材３と接続治具２とから、図４，５に示すように、ピットの内容積に応じジャングルジム状の雨水貯留構造用組立物Ａを構成する。ピットの内容積が大きい場合には、ピット内で雨水貯留構造用組立物Ａを組み立ててもよいし、雨水貯留構造用組立物Ａをピット外で組み立てた後、ピット内に挿入するようにしてもよい。このようにして組み立てた雨水貯留構造用組立物Ａは、樹脂製あるいは金属製などのベルトで締結・固定されることが好ましい。更に、側面外周部には、角形のパネルをパイプ間に嵌め込んで側面外周部での平坦性を確保すると共に、強度を高めるようにしてもよい。
【００２４】
ついで、雨水貯留構造用組立物Ａの側面部Ｃには、必要に応じて埋め戻しを行うと共に、側溝７よりピット内に雨水を流し込み可能に連通する配管８を敷設し、更に、上面に遮水シート５を被覆し、その上から０．５〜１ｍ程度の覆土６を施す。これら、上面の遮水シート５、覆土６は、被覆層を形する。もっとも、雨水貯留構造用組立物Ａ上面に遮水シート５を被覆する代わりに、透水性シートを被覆して雨水を浸透させるようにしてもよい。側溝７は、その底部に泥溜９が形成されるように、底部が幾分深くなっている。
【００２５】
三次元構造体である雨水貯留構造用組立物Ａは、少なくとも１０８ｋＮ／ｍ2以上の圧縮強度を有することが好ましい。このようにすれば、最上部に覆土２ｍ程度（負荷：約３６ｋＮ／ｍ2 ）を施工したとしても、土圧の３倍以上となる十分な強度を有する。具体的には、長さ約５０ｃｍのパイプ状部材を使用する場合、４本／ｍ2 で少なくとも２７ｋＮ／本の圧縮強度を有するものを使用し、長さ約４０ｃｍのパイプ状部材を用いる場合には、６．２５本／ｍ2 で少なくとも圧縮強度約１７．２８ｋＮ／本を有するパイプ状部材を用いる。
【００２６】
このようにすることにより、一旦雨水を貯留して、庭園などへの散水、洗浄水、非常用水など各種用途に利用したり、大量の雨水を徐々に放流できるような調整機能を備えさせたりすることができる。しかも、コンクリートで構成する場合に比べて、養生期間などが不要であることから、雨水貯留構造物の構築速度を格段に早くすることができる。
【実施例】
【００２７】
外径約６０ｍｍ、肉厚約５．５ｍｍ、長さ約５０ｍｍのポリエチレン製パイプ（積水化学工業製。商品名：エスロンハイパーＰＥ）を用いて、図１に示す接続治具を用いて、図４，５にその一部を示すような、高さ約３ｍ、縦横約３ｍの雨水貯留構造組立物Ａを形成し、深さ約５ｍの所定内容積を有するピット内に配置し、雨水貯留構造物を構築した。このポリエチレン製パイプは、長さ方向の圧縮強度約２７ｋＮ／本を有しており、１ｍ2当たり４本を使用すると、圧縮強度１０８ｋＮ／ｍ2が得られ、覆土を２ｍ（負荷：約３６ｋＮ／ｍ2）とした場合でも、約３倍強の圧縮強度が得られるので、十分に実用的であることがわかる。
【００２８】
実際、１ｍ×１ｍ×１ｍの大きさで雨水貯留構造物を構築し、その上から２ｍの覆土に相当する重錘を載置して１年以上経過したが、使用上問題となる変形その他のトラブルは一切生じなかった。
〔別実施の形態〕
（１）上記実施形態の場合、樹脂製パイプ状部材の構成材料としてポリエチレン製を例示したが、これに限定されるものではなく、ポリプロピレン、ポリ塩化ビニル、ＰＥＴ（ポリエチレンテレフタレート）等を使用してもよいし、必要な強度が得られれば、各種の熱可塑性樹脂を使用することができる。
（２）上記実施形態では、パイプ状部材３を接続治具１の筒状部１ａに内嵌可能に構成した例を示したが、接続治具１の筒状部１ａの外径を小さくして、パイプ状部材３に内嵌させるようにしてもよい。
（３）上記実施形態では、横部材２の端部突起２ａを円筒状にし、この端部突起２ａを挿入して係合する接続治具１の貫通孔１ｃを円形とした例を示したが、これに代えて、横部材２の端部突起２ａを角状とし、接続治具１の貫通孔１ｃもこれを挿入可能に角形にしてもよい。このようにすると、横部材２と接続治具１の位置、すなわち、横部材２とパイプ状部材３の位置が固定されるようになって両者が係止され、組立時に扱い易くなると共に外力による変形に抵抗できて好ましい。
（４）パイプ状部材、横部材、接続治具とは、同じ材質の樹脂製としたが、異なる材質の樹脂製であってもよい。
（５）樹脂製パイプ状部材、横部材、接続治具の構成材料に、粉体状の炭酸カルシウム（炭カル）等を混入させるようにしてもよい。このようにすると、構成材料の比重を大きくすることができ、雨水を貯留する際に生じる浮力に抗することができ、浮力対策として特別な施工が不必要となり、小さいスペースでもより大きい貯水量が確保できて好ましい。具体的には、１３％程度の炭カルを樹脂に混入させることにより、比重を１．０以上にすることができる。
【産業上の利用可能性】
【００２９】
本発明に係る雨水貯留構造物は、雨水を貯留して利用するタンクとしての用途に止まらず、ビオトープ等として利用することもできる。
【図面の簡単な説明】
【００３０】
【図１】本発明の一実施形態に係る雨水貯留構造用部材を構成する接続治具の(イ)平面図、(ロ)正面断面図
【図２】本発明の一実施形態に係る雨水貯留構造用部材を構成する横部材の(イ)左側面図、(ロ)平面図、（ハ）ＩＩ−ＩＩ断面図
【図３】本発明の一実施形態に係る雨水貯留構造用部材を構成するパイプ状縦部材の(イ)正面図、(ロ) ＩＩＩ−ＩＩＩ断面図
【図４】パイプ状部材と接続部材とを用いて雨水貯留構造用組立物Ａの組立手順を説明する正面図
【図５】パイプ状部材と接続部材とを用いて雨水貯留構造用組立物Ａの組立手順を説明する平面図
【図６】図１の雨水貯留構造用部材を用いた雨水貯留構造物の概略断面図
【符号の説明】
【００３１】
１        接続治具
２        横部材
３        パイプ状縦部材
４        遮水材
５，６    被覆層
【図１】
2006104739.tif 000003
【図２】
2006104739.tif 000004
【図３】
2006104739.tif 000005
【図４】
2006104739.tif 000006
【図５】
2006104739.tif 000007
【図６】
2006104739.tif 000008